(57)【要約】      （修正有）【課題】小型で工事コストが安価であり、減圧弁の着脱が容易な減圧弁ユニットを提供する。【解決手段】減圧弁ユニット８０は、三方弁３２ａ、３２ｂを用いることで装置構成をコンパクト化し外形寸法を小型化することができる。これにより、減圧弁ユニット８０の埋設時の穴を小さくすることが可能となり、掘削に掛る工事時間の短縮と、工事コストの削減とを図ることができる。また、この減圧弁ユニット８０は、減圧弁接続管４０ａ、４０ｂの双方に伸縮管４４ａ、４４ｂを有している。そして、減圧弁５０の着脱時には伸縮管４４ａ、４４ｂを押し縮めて減圧弁接続スペース４２ａ、４２ｂの間隔を拡げ、スペースに余裕を持たせることで減圧弁５０の取り付け、取り外しを楽に行うことができる。これにより、減圧弁交換時の作業負担を大幅に軽減することができる。【選択図】図１
0003230548.tif 000002
【実用新案登録請求の範囲】
【請求項１】
高水圧側の送水配管と接続する高圧側接続配管と、
低水圧側の送水配管と接続する低圧側接続配管と、
前記高圧側接続配管と一端が接続した第１の三方弁と、
前記低圧側接続配管と一端が接続した第２の三方弁と、
前記第１の三方弁と第２の三方弁の間に接続した２本の減圧弁接続管と、を備え、
前記減圧弁接続管が減圧弁接続スペースをそれぞれ有するとともに、前記減圧弁接続スペースの少なくとも一方に減圧弁が設置されることを特徴とする減圧弁ユニット。
【請求項２】
減圧弁接続管が、所定の範囲で長さが可変する伸縮管をそれぞれ有することを特徴とする請求項１記載の減圧弁ユニット。
【請求項３】
高圧側接続配管と低圧側接続配管の一端が露出した筐体によって一体化されていることを特徴とする請求項１または請求項２に記載の減圧弁ユニット。
【請求項４】
筐体の底面に水抜き孔を備えるとともに、前記底面は前記水抜き孔に向けて傾斜した斜面となっていることを特徴とする請求項３に記載の減圧弁ユニット。
【考案の詳細な説明】
【技術分野】
【０００１】
本考案は、主に上水道設備等において送水圧を減圧する減圧弁ユニットに関するものである。
【背景技術】
【０００２】
例えば上水道においては、配水池等の水をポンプにより目的の配水エリアに圧送する。この際、送水先が低所に位置する場合等では、送水先での水圧が上昇し適正値から外れる場合がある。このような場合、送水配管の途中に減圧弁を設け、送水先での水圧を適正なものに減圧して配水することが行われる。ただし、この減圧弁は耐用年数等により定期的に交換が必要となる。よって、減圧弁の設置は、送水配管の断水を行うことなく交換作業が可能なように、予備配管ルート（並列配管）を備えた例えば下記［特許文献１］に記載の減圧弁ユニット等を介して行うことが一般的である。
【先行技術文献】
【特許文献】
【０００３】
【特許文献１】実用新案登録第３２１５５４７号公報
【考案の概要】
【考案が解決しようとする課題】
【０００４】
しかしながら、［特許文献１］に記載の考案は、並列に設置された２つの並列配管部のそれぞれに２つのバタフライ弁を備えるなど装置規模が大きく、埋設時には大きな穴を掘削する必要があり、工事コストが高いという問題点がある。また、配管に寸法的余裕が存在しないため、減圧弁の着脱時には接続スペースから減圧弁を引き抜く、もしくは押し込む作業が必要であり交換時の作業負担が大きいという問題点がある。
【０００５】
本考案は上記事情に鑑みてなされたものであり、小型で工事コストの安価な減圧弁ユニットの提供を目的とする。また、減圧弁の着脱が容易な減圧弁ユニットの提供を目的とする。
【課題を解決するための手段】
【０００６】
本考案は、
（１）高水圧側の送水配管と接続する高圧側接続配管３０ａと、低水圧側の送水配管と接続する低圧側接続配管３０ｂと、前記高圧側接続配管３０ａと一端が接続した第１の三方弁３２ａと、前記低圧側接続配管３０ｂと一端が接続した第２の三方弁３２ｂと、前記第１の三方弁３２ａと第２の三方弁３２ｂの間に接続した２本の減圧弁接続管４０ａ、４０ｂと、を備え、
前記減圧弁接続管４０ａ、４０ｂが減圧弁接続スペース４２ａ、４２ｂをそれぞれ有するとともに、前記減圧弁接続スペース４２ａ、４２ｂの少なくとも一方に減圧弁５０が設置されることを特徴とする減圧弁ユニット８０を提供することにより、上記課題を解決する。
（２）減圧弁接続管４０ａ、４０ｂが、所定の範囲で長さが可変する伸縮管４４ａ、４４ｂをそれぞれ有することを特徴とする上記（１）記載の減圧弁ユニット８０を提供することにより、上記課題を解決する。
（３）高圧側接続配管３０ａと低圧側接続配管３０ｂの一端が露出した筐体１０によって一体化されていることを特徴とする上記（１）または上記（２）に記載の減圧弁ユニット８０を提供することにより、上記課題を解決する。
（４）筐体１０の底面１０ａに水抜き孔１４を備えるとともに、前記底面１０ａは前記水抜き孔１４に向けて傾斜した斜面となっていることを特徴とする上記（３に記載の減圧弁ユニット８０を提供することにより、上記課題を解決する。
【考案の効果】
【０００７】
本考案に係る減圧弁ユニットは、２つの三方弁を用いることで装置構成をコンパクト化し外形寸法を小型化することができる。これにより、減圧弁ユニットの埋設時の穴を小さくすることが可能となり、掘削に掛る工事時間の短縮と、工事コストの削減とを図ることができる。
また、本考案に係る減圧弁ユニットは、２本の減圧弁接続管の双方に伸縮管を有している。そして、減圧弁の着脱時には伸縮管を押し縮めて減圧弁接続スペースの間隔を拡げ、スペースに余裕を持たせることで減圧弁の取り付け、取り外しを楽に行うことができる。これにより、減圧弁交換時の作業負担を大幅に軽減することができる。
【図面の簡単な説明】
【０００８】
【図１】本考案に係る減圧弁ユニットの内部の上面図である。
【図２】本考案に係る減圧弁ユニットの内部の側面図である。
【図３】本考案に係る減圧弁ユニットの内部を低圧側接続配管側から見た図である。
【図４】本考案に係る減圧弁ユニット８０の外観図である。
【考案を実施するための形態】
【０００９】
本考案に係る減圧弁ユニットの実施の形態を図面に基づいて説明する。ここで、図１は本考案に係る減圧弁ユニット８０の内部の上面図であり、図２は減圧弁ユニット８０の内部の側面図であり、図３は減圧弁ユニット８０の内部を低圧側接続配管３０ｂ側から見た図である。また、図４は本考案に係る減圧弁ユニット８０の外観図である。
【００１０】
図１〜図４に示す本考案に係る減圧弁ユニット８０は、上流側から高水圧で圧送された水を所定の水圧に減圧して下流側に送水するものであり、上流側で高水圧側の送水配管と接続する高圧側接続配管３０ａと、下流側で低水圧側の送水配管と接続する低圧側接続配管３０ｂと、高圧側接続配管３０ａと一端が接続した第１の三方弁３２ａと、低圧側接続配管３０ｂと一端が接続した第２の三方弁３２ｂと、を有している。そして、これら第１の三方弁３２ａと第２の三方弁３２ｂの残り２つの接続端の間には、減圧弁接続管４０ａ、４０ｂがそれぞれ接続する。よって、減圧弁接続管４０ａ、４０ｂは高圧側接続配管３０ａ、低圧側接続配管３０ｂに対して、第１、第２の三方弁３２ａ、３２ｂを介して並列に接続する。そして、第１、第２の三方弁３２ａ、３２ｂをそれぞれ切り替えることで、高圧側接続配管３０ａからの水の流路を減圧弁接続管４０ａ側か減圧弁接続管４０ｂ側かで切り替えることができる。
【００１１】
また、減圧弁接続管４０ａ、４０ｂは、減圧弁接続スペース４２ａ、４２ｂをそれぞれ有し、これら減圧弁接続スペース４２ａ、４２ｂの少なくとも一方に減圧弁５０が設置される。尚、減圧弁５０は減圧弁接続スペース４２ａ、４２ｂの両方に設置しても良いが、部材コスト削減のため一方の減圧弁接続スペース４２ａ（４２ｂ）のみに減圧弁５０を設置することが好ましい。この場合、減圧弁５０を設置しない側の減圧弁接続スペース４２ｂ（４２ａ）には減圧弁５０と略同等の長さを有するダミー管５２を設けることが好ましい。
【００１２】
また、減圧弁接続管４０ａ、４０ｂには所定の範囲で長さが可変する周知の伸縮管４４ａ、４４ｂをそれぞれ設ける。この伸縮管４４ａ、４４ｂの種類に関しては特に限定はないが、二重管構造の摺動式継手を用いることが好ましい。また、減圧弁接続管４０ａ、４０ｂには減圧弁接続管４０ａ、４０ｂ内に溜まったエアを抜くエア抜きバルブ３４ａ、３４ｂと、減圧弁接続管４０ａ、４０ｂ内に溜まった水を抜くドレンバルブ３６ａ、３６ｂをそれぞれ設けることが好ましい。また、高圧側接続配管３０ａには水中のゴミや塵等を捕集するストレーナ３８を設けても良い。
【００１３】
そして、これらの減圧弁ユニット８０の構成は高圧側接続配管３０ａと低圧側接続配管３０ｂの一端が露出した例えばコンクリート製の筐体１０内に収められて一体化しユニット化する。尚、筐体１０の上面には人が筐体１０内に出入りするためのマンホール１２を設けるとともに、筐体１０の底面１０ａの略中央部分には筐体１０内に溜まった水を外部に排出する水抜き孔１４を設けることが好ましい。この場合、筐体１０の底面１０ａは水抜き孔１４に向けて傾斜した斜面で構成することが好ましい。
【００１４】
そして、本考案に係る減圧弁ユニット８０は［特許文献１］に記載の減圧弁ユニットと比較してコンパクトであり、減圧弁ユニット８０の寸法、即ち筐体１０の外形寸法を［特許文献１］に記載の減圧弁ユニットよりも小さくすることができる。このため、減圧弁ユニット８０の埋設時の穴を小さくすることが可能となり、掘削に掛る工事時間の短縮と、工事コストの削減とを図ることができる。
【００１５】
次に、本考案に係る減圧弁ユニット８０の使用方法に関して説明を行う。尚、ここでは減圧弁接続管４０ａのみに減圧弁５０を設置した例を用いて説明を行う。先ず、減圧弁ユニット８０を筐体１０ごと所定の位置に埋設し、高圧側接続配管３０ａを上流側の送水配管と接続する。また、低圧側接続配管３０ｂを下流側の送水配管と接続する。そして、エア抜きバルブ３４ａ、３４ｂ、ドレンバルブ３６ａ、３６ｂを閉塞した上で、第１、第２の三方弁３２ａ、３２ｂを減圧弁接続管４０ａ側に切り替える。
【００１６】
この状態で上流側の送水配管に水が圧送されると、その水は高圧側接続配管３０ａを通ってストレーナ３８に流入し、このストレーナ３８で水中のゴミや塵等が捕集、除去される。次に、ストレーナ３８を通過した水は第１の三方弁３２ａを通って減圧弁接続管４０ａに流入し減圧弁５０によって所定の水圧に減圧される。減圧された水は第２の三方弁３２ｂ、低圧側接続配管３０ｂを通って下流側の送水配管に吐出し、然るべき配水配管を通って施設や一般家屋等に配水される。
【００１７】
ここで、減圧弁５０にメンテナンス等が必要となったり、減圧弁５０が交換時期となった場合、作業者がマンホール１２から筐体１０内に入り、水が流通していない減圧弁接続管４０ｂのダミー管５２の固定ボルトを外す。この際、減圧弁接続管４０ｂのエア抜きバルブ３４ｂ、ドレンバルブ３６ｂを適宜開閉し、減圧弁接続管４０ｂ内に溜まっていた水を排出するとともに、減圧弁接続管４０ｂ内を常圧とするようにしても良い。次に、ダミー管５２を減圧弁接続管４０ｂから取り外す。この際、伸縮管４４ｂを押し縮めて減圧弁接続スペース４２ｂの間隔を拡げ、スペースに余裕を持たせることでダミー管５２を楽に取り外すことができる。次に、作業者はダミー管５２が取り外された減圧弁ユニット８０の減圧弁接続スペース４２ｂに予備の減圧弁５０を取り付け、固定ボルトを用いて固定する。この取り付けの際も伸縮管４４ｂを押し縮めて減圧弁接続スペース４２ｂの間隔を拡げ、スペースに余裕を持たせることで減圧弁５０の取り付けを楽に行うことができる。
【００１８】
次に、作業者は減圧弁接続管４０ｂのエア抜きバルブ３４ｂ、ドレンバルブ３６ｂを開放した状態で、第１の三方弁３２ａを減圧弁接続管４０ｂ側に切り替える。これにより、高圧側接続配管３０ａの水が減圧弁接続管４０ｂに流入する。そして、減圧弁接続管４０ｂ内のエアがエア抜きバルブ３４ｂから排出され、ドレンバルブ３６ｂから水が吐出すると、作業者はエア抜きバルブ３４ｂ、ドレンバルブ３６ｂを閉塞し、第２の三方弁３２ｂを減圧弁接続管４０ｂ側に切り替える。これにより、上流側の送水配管から流入した水は高圧側接続配管３０ａ、第１の三方弁３２ａを通って減圧弁接続管４０ｂに流入し予備の減圧弁５０によって所定の水圧に減圧された後、第２の三方弁３２ｂ、低圧側接続配管３０ｂを通って下流側の送水配管に送出される。ここで、仮に一般的な仕切弁等を流路の切り替えに用いた場合、弁の全開全閉のためにハンドルを十数回回転させることが必要で、配管の開閉と流路の切り替えに時間を要することとなる。これに対し、三方弁３２ａ、３２ｂを用いた本考案の構成では、バーハンドル等を９０°回転させることで弁の開閉を行うことができる。また、バーハンドルの方向で三方弁３２ａ、３２ｂの開閉状態を一目で把握することができる。これにより、本考案に係る減圧弁ユニット８０は、弁の開閉と流路の切り替えを短時間で正確に行うことができる。
【００１９】
次に、作業者は減圧弁接続管４０ａのドレンバルブ３６ａ、エア抜きバルブ３４ａを適宜開閉し、減圧弁接続管４０ａ内に残留した水を排出するとともに減圧弁接続管４０ａ内を常圧とする。次に作業者は減圧弁接続管４０ａに接続している減圧弁５０の固定ボルトを外して、減圧弁５０を減圧弁接続管４０ａから取り外す。この際、減圧弁接続管４０ａ側の伸縮管４４ａを押し縮めて減圧弁接続スペース４２ａの間隔を拡げ、スペースに余裕を持たせることで減圧弁５０を楽に取り外すことができる。尚、予備の減圧弁５０を長期間使用する場合、減圧弁５０が取り外された減圧弁接続スペース４２ａにダミー管５２を取り付けることが好ましい。この際も同様に伸縮管４４ａを押し縮めて減圧弁接続スペース４２ａの間隔を拡げ、スペースに余裕を持たせることでダミー管５２を楽に取り付けることができる。
【００２０】
尚、予備の減圧弁５０は常用の減圧弁５０として交換時期まで継続して使用しても良いし、メンテナンス完了後の減圧弁５０もしくは交換用の新たな減圧弁５０を上記と同様の手順で減圧弁接続管４０ａ側の減圧弁接続スペース４２ａに取り付け、流路の切り替えを行った後、取り外して回収するようにしても良い。
【００２１】
以上のように、本考案に係る減圧弁ユニット８０は、三方弁３２ａ、３２ｂを用いることで装置構成をコンパクト化し外形寸法を小型化することができる。これにより、減圧弁ユニット８０の埋設時の穴を小さくすることが可能となり、掘削に掛る工事時間の短縮と、工事コストの削減とを図ることができる。また、三方弁３２ａ、３２ｂを用いることで、弁の開閉作業と開閉状態の把握とを短時間で行うことができる。これにより、流路の切り替え作業を迅速且つ正確に行うことができる。
【００２２】
また、本考案に係る減圧弁ユニット８０は、減圧弁接続管４０ａ、４０ｂの双方に伸縮管４４ａ、４４ｂを有している。そして、減圧弁５０の着脱時には伸縮管４４ａ、４４ｂを押し縮めて減圧弁接続スペース４２ａ、４２ｂの間隔を拡げ、スペースに余裕を持たせることで減圧弁５０の取り付け、取り外しを楽に行うことができる。これにより、減圧弁交換時の作業負担を大幅に軽減することができる。
【００２３】
尚、上記に示した減圧弁ユニット８０の配管構成、形状、構成、デザイン、寸法等は一例であるから、上記の例に限定されるわけでは無く、本考案は本考案の要旨を逸脱しない範囲で変更して実施することが可能である。
【符号の説明】
【００２４】
１０    筐体
１０ａ  底面
１４    水抜き孔
３０ａ  高圧側接続配管
３０ｂ  低圧側接続配管
３２ａ  第１の三方弁
３２ｂ  第２の三方弁
４０ａ、４０ｂ  減圧弁接続管
４２ａ、４２ｂ  減圧弁接続スペース
４４ａ、４４ｂ  伸縮管
５０    減圧弁
８０    減圧弁ユニット
【図１】
0003230548.tif 000003
【図２】
0003230548.tif 000004
【図３】
0003230548.tif 000005
【図４】
0003230548.tif 000006